(57)【要約】      （修正有）【課題】木造軸組構造の地震に対する構造的弱点を改善する。【解決手段】３本１組の隅通し柱・それに対を成すＸ軸Ｙ軸方向合せて、１階管柱２本・２階管柱２本・中間控材１階２本、２階２本・土台２本・胴差し２本・大桁２本を、ボルトで締め付けて、８箇所の枠を形成し、この８枠それぞれに、タスキ掛けのスジカイを取り付け、また土台上部・胴差し上下部・大桁下部・柱の内側面のスジカイとの隙間部には、合板振れ止め材を釘打ちする。スジカイ・中間控材・合板振れ止め材は、柱厚さより２８ｍｍ薄くする。この部分に、厚さ２８ｍｍ×幅９１０ｍｍ×長さ１８２０ｍｍの構造用合板を、中間控材の中央に継目あわせカットし（２×４用釘９０ｍｍ＠１００ｍｍ以内で）打ち付ける。これが隅耐力壁組で、これを家屋の４隅に（出来れば家屋長手方向中央部に１対配置）配置し、地震力に対抗する。【選択図】図１
0003139980.tif 000002
【実用新案登録請求の範囲】
【請求項１】
木造軸組構造の隅耐力壁組であって、隅通し柱１を１本と添通し柱２を２本の３本を１組にした隅通し柱と、それに対をなすＸ軸Ｙ軸方向共、１階管柱６を２本、２階管柱７を２本と、１・２階とも中間控材８を４本と、土台３を２本と、胴差し４を２本と、大桁５を２本とを、それぞれボルトで締めて８箇所の枠を形成する。（土台部はホールダウン用アンカーボルトで基礎に締め付ける。この時柱下部より１５０ｍｍ以上上でナット止めとする。）この８箇所の枠すべてにタスキ掛けスジカイを配する。また土台上部・胴差し上下部・大桁下部・柱の内側面とスジカイとの隙間部分には、合板の振れ止め材を釘打ちする。スジカイ・中間控材・合板振れ止め材は、柱厚さより２８ｍｍ薄くする。この部分に厚さ２８ｍｍ×幅９１０ｍｍ×長さ１８２０ｍｍの構造用合板を中間控材の中央に継目合わせカットし（２×４用９０ｍｍ釘＠１００ｍｍ以内で）打ち付けた隅耐力壁組。
【考案の詳細な説明】
【技術分野】
【０００１】本考案は、木造軸組構造の耐震強度に関するもので、隅部の剛性を高めて、地震に強い木造家屋を提供する。
【背景技術】
【０００２】従来から、木造家屋は、通し柱中央部に、横架材取り付け仕口加工による断面欠損が出来る。特に隅通し柱は、地震により、この欠損部の外部方向せん断破壊による倒壊が問題である。昔から木造軸組構造において、隅通し柱が１本単独で外力を受けるのは、元から無理がある。特にコンクリート基礎に、アンカーボルトで土台を固定する工法になってからは、スジカイを使うようになり。このスジカイが隅通し柱を地震時に外向きにせん断破壊する欠点になっている。
【考案の開示】
【考案が解決しようとする課題】
【０００３】木造軸組構造の地震に対する構造的弱点。
【課題を解決するための手段】
【０００４】請求項１の隅耐力壁組において、特長は、柱と柱の内面にパネルを挟む構造であること。現在の木造軸組に、パネル１２ｍｍを釘打ちした場合（２×４工法も同じ）は、長い期間に地震や台風や大型車両などによる揺れで、釘とパネル接点面がゆるくなり、新築時の強度は、段々に弱体して行くし、大地震では瞬時にゆるむ、おそれもある。
釘の円周面とパネルとの支持抵抗であり、釘円周面積に強度は比例するといえる。
ゆえに釘の打てる限界値までの釘本数による強度である。柱間にパネルを挟むことは、合板側面面積と柱側面（合板側面面積分）との抵抗であり、釘はパネルの浮き上がり防止の役目を受け持ち、かつ釘円周面とパネルとの支持抵抗も兼ねる。よって、釘は２×４工法程度に打ち付ければ十分で、パネル側面と柱側面抵抗は、長期に強度を維持できる。しかしながら強い応力に耐える分、その応力が隅通し柱に掛かるために、柱は、かえって破懐されやすくなります。ゆえに、三本組の隅通し柱にし、かつ、管柱・中間控材・タスキ掛けスジカイ・合板振れ止め材・２８ｍｍ構造用合板・ボルト・２×４用釘の組合せの隅耐力壁組とする。また設計時の平面計画において、この壁組を四隅に配置する。（また、できるだけ、長手方向には中間部に一対配置するのが望ましい）この壁組をバランス良く配置することで、大地震に耐える木造軸組構造とする。
【考案の効果】
【０００５】木造軸組構造が、隅耐力壁組で地震に強くなれば、日本の資源である木材を利用した、手ごろな価格で強い家屋を提供できる。また、人命・財産を護ることが出来、社会に貢献できる。そしてプレハブ化が進む中で、木造復活を図れれば、若い職人が育ち、木のライフサイクルも甦り、木の温もりを感じる住環境も造れる。
【考案を実施するための最良の形態】
【０００６】建築基準法を遵守し、隅耐力壁組をバランス良く配した強度のある家屋を作る。木造は大敵のシロアリを管理することを合わせて行ことが原則である。これにより、木造は長期間、強度を保てる。また構造に工夫をすること、たとえば、２階床組には床下地材として２８ｍｍ構造用合板を打ち付けると、建物のねじれを防ぐ効果があるし、平屋建て部分にも、この隅耐力壁組の１階部分を配置すれば、強さが増す。構造と配置工夫で，より強度ある家屋にできる。
【図面の簡単な説明】
【０００７】
【図１】本考案の隅耐力壁組の内側からの外観斜視図と水平透視図。
【図２】本考案の隅耐力壁に採用した、３本１組の隅通し柱の詳細図。
【符号の説明】
【０００８】１      隅通し柱
２      添隅通し柱
３      土台
４      胴差し
５      大桁
６      １階管柱
７      ２階管柱
８      中間控材
９      スジカイ
１０    構造合板２８ｍｍ
１１    合板振れ止め材
１２    釘止め
１３    だぼそ３０＊３０Ｙ軸
１４    だぼそ３０＊３０Ｘ軸
Ｂ−１  ホールダウン用アンカーボルト
Ｂ−２  １階管柱と２階管柱引き合いボルト
Ｂ−３  大桁と柱頭部引き合いボルト
Ｂ−４  中間控材と管柱胴部引き合いボルト
Ｂ−５  隅通し柱と添通し柱締め付け用ボルト
【図１】
0003139980.tif 000003
【図２】
0003139980.tif 000004
【手続補正書】
【提出日】平成19年11月29日(2007.11.29)
【手続補正１】
【補正対象書類名】実用新案登録請求の範囲
【補正対象項目名】全文
【補正方法】変更
【補正の内容】
【実用新案登録請求の範囲】
【請求項１】
木造軸組構造の隅耐力壁組において、隅通し柱１を１本と添通し柱２を２本一組とし添通し柱２本をホールダウンボルト止めした隅通し柱組を基準として、Ｘ軸方向Ｙ軸方向
0003139980.tif 000005
り２８ミリメートル薄くし、柱室内面に合わせて、１階には土台と胴差の内〜内寸法の
0003139980.tif 000006
0003139980.tif 000007
に１階２組、２階２組の計４組、Ｙ軸方向に１階２組、２階２組の合計８組の枠組を形成し、各枠に、タスキ掛けスジカイ９を柱室内面に合わせて釘打ちと平板金物を亜鉛引きネジ釘止を併用して取り付け、合板振れ止め材１０を柱室内面に合わせて、添通し柱と管柱６と７の内面、土台上面、胴差上下面、大桁下面にスジカイ端部を避けて、釘打ちする、この時タスキ掛けスジカイ厚さと合板振れ止め材の幅は、柱厚より２８ミリメートル薄くし、構造用合板２８ｍｍ１１を中間控材の中心が継ぎ目となるように、かつ各枠の内〜内寸法に切り合わせ、Ｘ軸方向Ｙ軸方向ともに、１階２枚、２階２枚の合計８枚を納めて、２×４用釘９０ミリメートルで、中間控材、タスキ掛けスジカイ、合板振れ止め材に＠１００以内で打ち付ける。以上からなる隅耐力壁組である。
【手続補正２】
【補正対象書類名】明細書
【補正対象項目名】全文
【補正方法】変更
【補正の内容】
【考案の詳細な説明】
【技術分野】
【０００１】本考案は、木造軸組構造の隅部に配する耐震用隅耐力壁組に関する。
【背景技術】
【０００２】従来から、木造家屋は、通し柱中央部に、横架材取付け仕口加工による断面欠損ができる。特に、隅通し柱は、地震により、この欠損部の外部方向せん断破壊による倒壊が問題である。昔から木造軸組構造において、隅通し柱が一本単独で外力を受けるのは、元より無理がある。特に、コンクリート基礎に、土台をアンカーボルトで固定する工法になってからは、スジカイを使うようになり、このスジカイが地震時に隅通し柱を外向きにせん断破壊させる欠点になっている。
【考案の開示】
【考案が解決しょうとする課題】
【０００３】木造軸組構造の地震に対する構造的弱点。
【課題を解決するための手段】
【０００４】請求項１の隅耐力壁組において、特長は、柱と柱の内面にパネルを挟む構造であること。木造軸組や２×４構造の外面に、パネル１２ｍｍを釘打ちした工法の場合は、長い期間に、地震や台風や大型車両などによる揺れで、釘とパネル接点面がゆるくなり、新築時の強度は、だんだんに弱体していくし、大地震では瞬時にゆるむ心配もある。揺れに対する抵抗は、パネルと釘の円周面との支持であり、また釘頭部はパネルの浮き上りに対する支持と言える。ゆえに釘の打てる限界値までの釘本数による強度である。柱間にパネルを挟むことは、合板側面面積と柱側面との支持であり、釘はパネルの浮き上り防止の役目を受け持ち、かつ釘円周面とパネルとの支持抵抗も兼ねる。よって、釘本数は２×４工法程度に打ち付ければ十分で、パネル側面と柱側面との抵抗は、長期に渡り強度を維持できる。しかしながら強い揺れに耐える分、隅通し柱に、強い応力が働くために、隅通し柱はかえって破壊され易くなる。ゆえに、三本組の隅通し柱にし、かつ管柱・中間控材・タスキ掛けスジカイ・合板振れ止め材・構造用合板２８ｍｍ・ボルト・２×４用釘等の組合せの隅耐力壁組とすることで、木造家屋の隅部等の補強を図り、地震力に抵抗させる。
【考案の効果】
【０００５】木造軸組構造が隅耐力壁組で地震に強くなれば、日本の資源である木材を利用した、強い家屋を提供できる。また平面計画時に、家屋の長手方向中央部の、短手方向に一対の隅耐力壁組を配置することで、より強い家屋とすることができる。地震に弱いとされる木造家屋でも、人命・財産を護ることができ、社会に貢献できる。
【考案を実施するための最良の形態】
【０００６】建築基準法を遵守し、隅耐力壁組をバランスよく配した強度ある家屋を造る。木造家屋は、大敵のシロアリを管理することを合わせて行うことが原則である。これにより、木造家屋は長期間、強度を保てる。また構造に工夫をすること、たとえば２階床組には床下地材として構造用合板２８ｍｍを打ち付けると、建物のねじれを防ぐ効果があるし平屋建にも、隅耐力壁組の一階部分を配置すれば、強さが増す。構造と配置の工夫で、より強度ある家屋にできる。
【図面の簡単な説明】
【０００７】
【図１】本考案の隅耐力壁組の内側からの外観斜視図。
【図２】本考案の隅耐力壁組に採用した、三本一組の隅通し柱。
【符号の説明】
【０００８】１        隅通し柱
２        添通し柱
３        土台
４        胴差
５        大桁
６        １階管柱
７        ２階管柱
８        中間控材
９        タスキ掛けスジカイ
１０      合板振れ止め材
１１      構造用合板２８ｍｍ
１２      釘止め・平板金物亜鉛引きネジ釘止め併用
0003139980.tif 000008
Ｂ−１    ホールダウン用アンカーボルト
Ｂ−２    １階管柱と２階管柱引き合いボルト
Ｂ−３    大桁と柱頭部引き合いボルト
Ｂ−４    中間控材と管柱胴部引き合いボルト
Ｂ−５    隅通し柱と添通し柱締め付け用ボルト
【手続補正３】
【補正対象書類名】図面
【補正対象項目名】図１
【補正方法】変更
【補正の内容】
【図１】
0003139980.tif 000009